(57)【要約】【課題】  乱流防止部材を集塵室と電動送風機との間に容易に組み入れることができる電動送風機を提供することである。【解決手段】  電気掃除機は格子壁３０と電動送風機１０の間に設けられた乱流防止部材４０を備える。乱流防止部材４０は大開口部４３と小開口部４１と通路壁部４４、４５、４６と枠部４７とを含む。小開口部４１の内径は電動送風機１０の吸込口部１１の内径とほぼ同じか、吸込口部１１の内径よりも大きい。枠部４７の外周面の傾斜面には突起部４８が外周方向に沿って間隔をあけて複数形成され、枠部４７の内周面には立壁部４９が内周方向に沿って間隔をあけて複数形成されている。大開口部４３が格子壁３０に対向し、枠部４７の外周面が格子壁３０の立壁部３４に接触して乱流防止部材４０は格子壁３０に嵌め込まれているとともに小開口部４１が吸込口部１１に対向している。【選択図】        図４
2006055370.tif 000002
【特許請求の範囲】
【請求項１】
掃除機本体内に設けられた集塵室と、
前記集塵室側に吸込口を有する電動送風機と、
前記集塵室と前記電動送風機との間に設けられ、格子状に形成された複数の孔を有し、この複数の孔を取り囲み、前記電動送風機側に向かって延びるように環状の立壁部が形成された格子壁部材と、
前記格子壁部材と前記電動送風機との間に設けられた乱流防止部材とを備え、
前記乱流防止部材は、相対的に大きな大開口部と、相対的に小さな小開口部と、前記大開口部から前記小開口部に向かうにつれて内径が小さくなるように前記大開口部と前記小開口部とを接続する通路壁部と、前記乱流防止部材の通路壁部の外周を取り囲み、前記大開口部から前記小開口部に向かって延びるように形成された枠部とを含み、
前記乱流防止部材の小開口部の内径は前記電動送風機の吸込口の内径とほぼ同じか、前記電動送風機の吸込口の内径よりも大きく、
前記乱流防止部材の枠部の外周面は、前記大開口部から前記小開口部に向かうにつれて外径が大きくなる傾斜面を有しており、この傾斜面には外径方向に突出する突起部が外周方向に沿って間隔をあけて複数形成されており、
前記乱流防止部材の枠部の内周面には、内径方向に延びる立壁部が内周方向に沿って間隔をあけて複数形成されており、
前記乱流防止部材の大開口部が前記格子壁部材に対向し、前記乱流防止部材の枠部の外周面が前記格子壁部材の立壁部に接触して前記乱流防止部材は前記格子壁部材に嵌め込まれているとともに、前記乱流防止部材の小開口部が前記電動送風機の吸込口に対向している、電気掃除機。
【請求項２】
前記乱流防止部材の通路壁部は、前記大開口部から前記小開口部に向かうにつれて、順に、相対的に急な勾配を有する第１の傾斜部と、前記第１の傾斜部よりも緩やかな勾配を有する第２の傾斜部と、前記第２の傾斜部よりも急な勾配を有する第３の傾斜部とを有する、請求項１に記載の電気掃除機。
【請求項３】
前記格子壁部材の立壁部と前記乱流防止部材の枠部、大開口部および小開口部とは、ほぼ同心円状に形成されている、請求項１または請求項２に記載の電気掃除機。
【請求項４】
前記乱流防止部材の枠部の外周面に形成された突起部と前記枠部の内周面に形成された立壁部とは、前記枠部の周方向においてほぼ同じ位置に形成されている、請求項１から請求項３までのいずれか１項に記載の電気掃除機。
【発明の詳細な説明】
【技術分野】
【０００１】
この発明は、一般的には電気掃除機に関し、特定的には、掃除機本体内に設けられた集塵室と、集塵室側に吸込口を有する電動送風機と、集塵室と電動送風機との間に設けられ、格子状に形成された複数の孔を有する格子壁部材とを備えた電気掃除機に関するものである。
【背景技術】
【０００２】
従来から、集塵室から電動送風機への空気の流れが円滑になり、空気の乱流を生ずることがなくなり、騒音の発生を抑制することが可能な電気掃除機は、たとえば、特開２００３−２９００８９号公報（特許文献１）に記載されている。この電気掃除機は、掃除機本体内に集塵室と、この集塵室の後段に位置して集塵室を負圧にする電動送風機が内蔵された電動送風機室と、集塵室および電動送風機室を連通する風路とが形成され、集塵室の後部に設けられた多数の孔を有する格子壁により風路と集塵室とが区画され、電動送風機室の前部に設けられた通風孔を有する隔壁により風路と電動送風機室とが区画されたものでる。そして、上記のように構成された電気掃除機において、一端に大開口が形成され、他端にその大開口の径より小さくかつ通風孔の径とほぼ同一の小開口が形成されるとともに、一端から他端にいくに従って内径が小さくなる案内風路を有する乱流防止部材を風路に設け、乱流防止部材の一端を格子壁に当接させるとともに、小開口を通風孔に一致させて乱流防止部材の他端を隔壁に当接させ、通風孔内に挿入されてこの通風孔の内周面を覆うリブを、小開口の周縁部に形成したことを特徴としている。
【０００３】
この電気掃除機によれば、集塵室内の空気は、多数の孔を介して格子壁を通過して大開口から乱流防止部材の案内風路内に流入し、この案内風路内を通過して小開口から流出し、リブに沿いながら通風孔内に流入する。このとき、通気孔の内周面がリブによって覆われて、この内周面に形成されたテーパの先端によって空気の流れが乱れることなく、空気の流れが円滑になって、風切音等の騒音を抑制することができる。
【特許文献１】特開２００３−２９００８９号公報
【発明の開示】
【発明が解決しようとする課題】
【０００４】
しかしながら、上記の電気掃除機では、集塵室および電動送風機室を連通する風路が、集塵室との間では格子壁により区画され、電動送風機との間では隔壁により区画されている。このため、風路に設けられる乱流防止部材は、格子壁、隔壁および電動送風機の３つの部材間で相互に位置決めされて組み入れる必要がある。したがって、乱流防止部材を集塵室と電動送風機との間に組み入れるのが困難である。
【０００５】
また、上記の電気掃除機では、格子壁と乱流防止部材の外周部はほぼ矩形状に形成されているのに対し、乱流防止部材と隔壁の開口部を形成する内周部はほぼ円形状に形成されている。このため、乱流防止部材の一端を格子壁に当接させるとともに、乱流防止部材の小開口を隔壁の通風孔に一致させて乱流防止部材の他端を隔壁に当接させて、格子壁と隔壁との間に乱流防止部材を組み入れる際に位置決めが困難である。
【０００６】
この発明の目的は、乱流防止部材を集塵室と電動送風機との間に容易に組み入れることができる電動送風機を提供することである。
【課題を解決するための手段】
【０００７】
この発明に従った電気掃除機は、掃除機本体内に設けられた集塵室と、集塵室側に吸込口を有する電動送風機と、集塵室と電動送風機との間に設けられ、格子状に形成された複数の孔を有し、この複数の孔を取り囲み、電動送風機側に向かって延びるように環状の立壁部が形成された格子壁部材と、格子壁部材と電動送風機との間に設けられた乱流防止部材とを備える。乱流防止部材は、相対的に大きな大開口部と、相対的に小さな小開口部と、大開口部から小開口部に向かうにつれて内径が小さくなるように大開口部と小開口部とを接続する通路壁部と、乱流防止部材の通路壁部の外周を取り囲み、大開口部から小開口部に向かって延びるように形成された枠部とを含む。乱流防止部材の小開口部の内径は電動送風機の吸込口の内径とほぼ同じか、電動送風機の吸込口の内径よりも大きい。乱流防止部材の枠部の外周面は、大開口部から小開口部に向かうにつれて外径が大きくなる傾斜面を有しており、この傾斜面には外径方向に突出する突起部が外周方向に沿って間隔をあけて複数形成されている。乱流防止部材の枠部の内周面には、内径方向に延びる立壁部が内周方向に沿って間隔をあけて複数形成されている。乱流防止部材の大開口部が格子壁部材に対向し、乱流防止部材の枠部の外周面が格子壁部材の立壁部に接触して乱流防止部材は格子壁部材に嵌め込まれているとともに、乱流防止部材の小開口部が電動送風機の吸込口に対向している。
【０００８】
この発明の電動送風機には、相対的に大きな大開口部と、相対的に小さな小開口部と、大開口部から小開口部に向かうにつれて内径が小さくなるように大開口部と小開口部とを接続する通路壁部とを含む乱流防止部材が設けられている。このため、集塵室内の空気は、複数の孔を介して格子壁部材を通過して大開口部から乱流防止部材の通路壁部に流入し、この通路壁部を通過して小開口部から流出して電動送風機の吸込口に流入するとき、空気の流れが乱れることなく、空気の流れが円滑になるので、風量、ひいては吸い込み仕事率を向上させることができる。
【０００９】
また、この発明の電動送風機においては、乱流防止部材の小開口部の内径は電動送風機の吸込口の内径とほぼ同じか、電動送風機の吸込口の内径よりも大きくなっているので、電動送風機との間で乱流防止部材の位置決めを適切にかつ容易に行うことができる。
【００１０】
さらに、この発明の電動送風機においては、乱流防止部材の枠部の外周面は、大開口部から小開口部に向かうにつれて外径が大きくなる傾斜面を有し、この傾斜面には外径方向に突出する突起部が外周方向に沿って間隔をあけて複数形成されているとともに、乱流防止部材の枠部の内周面には、内径方向に延びる立壁部が内周方向に沿って間隔をあけて複数形成されている。このため、乱流防止部材の大開口部が格子壁部材に対向し、乱流防止部材の枠部の外周面が格子壁部材の立壁部に接触して乱流防止部材は格子壁部材に嵌め込まれる際に、格子壁部材との間で乱流防止部材の位置決めを適切にかつ容易に行うことができるとともに、圧入により乱流防止部材を格子壁部材に容易に組み入れて確実に固定することができる。
【００１１】
この発明に従った電動送風機においては、乱流防止部材の通路壁部は、大開口部から小開口部に向かうにつれて、順に、相対的に急な勾配を有する第１の傾斜部と、第１の傾斜部よりも緩やかな勾配を有する第２の傾斜部と、第２の傾斜部よりも急な勾配を有する第３の傾斜部とを有するのが好ましい。このように乱流防止部材の通路壁部を構成することにより、空気の流れがより円滑になるので、風量、ひいては吸い込み仕事率をより効果的に向上させることができる。
【００１２】
また、この発明に従った電動送風機においては、格子壁部材の立壁部と乱流防止部材の枠部、大開口部および小開口部とは、ほぼ同心円状に形成されているのが好ましい。このように構成することにより、格子壁部材に対する乱流防止部材の位置決めをより容易に行うことができる。
【００１３】
さらに、この発明に従った電動送風機においては、乱流防止部材の枠部の外周面に形成された突起部と枠部の内周面に形成された立壁部とは、枠部の周方向においてほぼ同じ位置に形成されているのが好ましい。このように構成することにより、圧入により乱流防止部材が格子壁部材に組み入れられた状態において立壁部は補強材として作用するので、乱流防止部材を格子壁部材により確実に固定することができる。
【発明の効果】
【００１４】
以上のように、この発明によれば、乱流防止部材を設けることにより、電動送風機が集塵室内の空気を吸い込む風量、ひいては吸い込み仕事率を向上させることができるとともに、乱流防止部材を集塵室と電動送風機との間に容易に組み入れることができる。
【発明を実施するための最良の形態】
【００１５】
以下、この発明の一つの実施の形態を図に基づいて説明する。
【００１６】
図１は、この発明の一つの実施の形態に従った電気掃除機の全体を示す斜視図である。      
【００１７】
図１に示すように、電気掃除機１００は、掃除機本体１と、掃除機本体１に一方端部が着脱自在に接続されたホース体２と、ホース本体２の他方端部に設けられた手元操作管３と、手元操作管３に着脱自在に接続された延長管４と、延長管４を介して着脱自在に接続された吸込口体５とから構成されている。
【００１８】
図２は、図１に示す電気掃除機の掃除機本体の内部を部分的に示す部分断面図（Ａ）、（Ａ）において電動送風機と乱流防止部材との接触箇所を拡大して示す部分拡大断面図（Ｂ）である。
【００１９】
図２（Ａ）に示すように、掃除機本体１内には、電動送風機１０の前側に格子壁３０が設けられ、集塵室と電動送風機１０との間が区画されている。電動送風機１０の吸込口部１１の外側には防振ゴム２０が設けられ、防振ゴム２０の端面２１と格子壁３０の立壁部３４における立壁端面３５とが密着するように配置されている。乱流防止部材４０は、電動送風機１０と格子壁３０との間に位置づけられ、その外周面が格子壁３０の立壁部３４に接触するように嵌め込まれている。乱流防止部材４０の小開口部４１の内径は、電動送風機１０の吸込口部１１の内径とほぼ同じか、図２（Ｂ）に示すように、乱流防止部材４０の小開口部４１の内径Ｄ２が電動送風機１０の吸込口部１１の内径Ｄ１よりもわずかに大きくなるように形成されている。乱流防止部材４０の小開口部４１における小開口端面４２が電動送風機１０の吸込口部１１における開口端１２に対向し当接している。
【００２０】
図３は、図２に示す掃除機本体に組み込まれる格子壁部材を示す部分平面図である。図２においては、図３のＩＩ−ＩＩ線に沿った方向から見た格子壁部材の部分断面が示されている。
【００２１】
図３に示すように、格子壁３０は格子状に形成された複数の格子孔３２を有する。一つの格子孔３２は、横方向に延びて形成された横格子部３１と、横格子部３１とほぼ直交する方向に延び、縦方向に形成された縦格子部３３とによって囲まれている。図２に示すように、環状の、この実施の形態では、たとえば、ほぼ円筒状の立壁部３４が複数の格子孔３２を取り囲み、電動送風機１０に向かって延びるように形成されている。
【００２２】
図４は、図２に示す掃除機本体に組み込まれる乱流防止部材の斜視図（Ａ）、（Ａ）と反対側から見た場合の乱流防止部材の斜視図（Ｂ）、（Ａ）におけるＣ−Ｃ線に沿った断面図（Ｃ）である。
【００２３】
図４（Ａ）に示すように、乱流防止部材４０は、一方端側に相対的に大きな内径を有するほぼ円形状の大開口部４３と、他方端側に相対的に小さな内径を有するほぼ円形状の小開口部４１とを有する。大開口部４３から小開口部４１に向かうにつれて内径が小さくなるように大開口部４３と小開口部４１とを接続する通路壁部が形成されている。この通路壁部は、図４（Ｃ）に示すように、大開口部４３から小開口部４１に向かうにつれて、順に、大開口部４３に連なって接続されて相対的に急な勾配を有する壁面からなる第１傾斜部４４と、第１傾斜部４４に連なって接続されて第１傾斜部４４よりも緩やかな勾配を有する壁面からなる第２傾斜部４５と、第２傾斜部４５に連なって接続されて第２傾斜部４５よりも急な勾配を有する第３傾斜部４６とから構成されている。このように構成された通路壁部の外周を枠部４７が取り囲み、大開口部４３から小開口部４１に向かって延びるように形成されている。枠部４７の外周面は、環状の、この実施の形態では、たとえば、ほぼ円筒状の壁面を有するが、大開口部４３から小開口部４１に向かうにつれて外径が大きくなる傾斜面を有し、いわゆるテーパ形状になっている。この傾斜面には、外径方向に突出した、断面がほぼ矩形状の突起部４８が外周方向に沿って間隔をあけて複数個、この実施の形態では、たとえば、４個形成されている。突起部４８は小開口部４１側の枠部４７の端面から大開口部４３側に延びるように形成されているが、大開口部４３の端面には達していない。また、複数個の突起部４８は枠部４７の外周面において周方向にほぼ等しい間隔で形成されている。
【００２４】
図４（Ｂ）に示すように、枠部４７の内周面には、内径方向に延びる立壁部（リブ）４９が内周方向に沿って間隔をあけて、枠部４７の内周面と通路壁部との間を接続するように、複数個、この実施の形態では、たとえば、８個形成されている。図４の（Ｂ）と（Ｃ）に示すように、複数個の立壁部４９のうち、いくつかの立壁部４９が形成された枠部４７の内周面の周方向の位置とほぼ同じ位置において枠部４７の外周面に突起部４８が形成されている。この実施の形態では、８個の立壁部４９のうち、４個の立壁部４９が形成された枠部４７の内周面の周方向の位置とほぼ同じ位置において枠部４７の外周面に突起部４８が形成されている。すなわち、突起部４８は、立壁部４９の周方向の位置に対して一つ置きに形成されている。また、複数個の立壁部４９は枠部４７の内周面において周方向にほぼ等しい間隔で形成されている。
【００２５】
上述したように構成された乱流防止部材４０は、図２に示すように、大開口部４３の端面が格子壁３０との間にわずかな隙間をあけて格子壁３０に対向し、または、格子壁３０に当接し、枠部４７の外周面が格子壁３０の立壁部３４の内周面に接触して格子壁３０に嵌め込まれている。このように乱流防止部材４０が格子壁３０に組み入れられた状態で、乱流防止部材４０の小開口部４１における小開口端面４２は電動送風機１０の吸込口部１１における開口端１２に当接し、または、開口端１２との間にわずかな隙間をあけて乱流防止部材４０が電動送風機１０に対して位置決めされている。
【００２６】
以上のように、この発明の一つの実施の形態の電気掃除機１００には、相対的に大きな大開口部４３と、相対的に小さな小開口部４１と、大開口部４３から小開口部４１に向かうにつれて内径が小さくなるように大開口部４３と小開口部４１とを接続する通路壁部とを含む乱流防止部材４０が設けられている。このため、図２にて矢印で示すように、集塵室内の空気は、複数の格子孔３２を介して格子壁３０を通過して大開口部４３から乱流防止部材４０の通路壁部に流入し、この通路壁部を通過して小開口部４１から流出して電動送風機１０の吸込口部１１に流入するとき、空気の流れが乱れることなく、空気の流れが円滑になるので、風量、ひいては吸い込み仕事率を向上させることができる。
【００２７】
また、この発明の一つの実施の形態の電気掃除機１００においては、乱流防止部材４０の小開口部４１の内径は電動送風機１０の吸込口部１１の内径とほぼ同じか、電動送風機１０の吸込口部１１の内径よりも大きくなっているので、電動送風機１０との間で乱流防止部材４０の位置決めを適切にかつ容易に行うことができる。
【００２８】
さらに、この発明の一つの実施の形態の電気掃除機１００においては、乱流防止部材４０の枠部４７の外周面は、大開口部４３から小開口部４１に向かうにつれて外径が大きくなる傾斜面を有し、この傾斜面には外径方向に突出する突起部４８が外周方向に沿って間隔をあけて複数形成されているとともに、乱流防止部材４０の枠部４７の内周面には、内径方向に延びる立壁部４９が内周方向に沿って間隔をあけて複数形成されている。このため、乱流防止部材４０の大開口部４３が格子壁３０に対向し、乱流防止部材４０の枠部４７の外周面が格子壁３０の立壁部３４に接触して乱流防止部材４０は格子壁３０に嵌め込まれる際に、格子壁３０との間で乱流防止部材４０の位置決めを適切にかつ容易に行うことができるとともに、圧入により乱流防止部材４０を格子壁３０に容易に組み入れて確実に固定することができる。
【００２９】
この発明の一つの実施の形態の電気掃除機１００においては、乱流防止部材４０の通路壁部は、大開口部４３から小開口部４１に向かうにつれて、順に、相対的に急な勾配を有する第１傾斜部４４と、第１傾斜部４４よりも緩やかな勾配を有する第２傾斜部４５と、第２傾斜部４５よりも急な勾配を有する第３傾斜部４６とを有するので、空気の流れがより円滑になるので、風量、ひいては吸い込み仕事率をより効果的に向上させることができる。
【００３０】
また、この発明の一つの実施の形態の電気掃除機１００においては、格子壁３０の立壁部３４と乱流防止部材４０の枠部４７、大開口部４３および小開口部４１とは、ほぼ同心円状に形成されているのが好ましい。このように構成することにより、格子壁３０に対する乱流防止部材４０の位置決めをより容易に行うことができる。
【００３１】
さらに、この発明の一つの実施の形態の電気掃除機１００においては、乱流防止部材４０の枠部４７の外周面に形成された突起部４８と枠部４７の内周面に形成された立壁部４９とは、枠部４７の周方向においてほぼ同じ位置に形成されているのが好ましい。このように構成することにより、圧入により乱流防止部材４０が格子壁３０に組み入れられた状態において立壁部４９は補強材として作用するので、乱流防止部材４０を格子壁３０により確実に固定することができる。
【００３２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３３】
【図１】この発明の一つの実施の形態に従った電気掃除機の全体を示す斜視図である。
【図２】図１に示す電気掃除機の掃除機本体の内部を部分的に示す部分断面図（Ａ）、（Ａ）において電動送風機と乱流防止部材との接触箇所を拡大して示す部分拡大断面図（Ｂ）である。
【図３】図２に示す掃除機本体に組み込まれる格子壁部材を示す部分平面図である。
【図４】図２に示す掃除機本体に組み込まれる乱流防止部材の斜視図（Ａ）、（Ａ）と反対側から見た場合の乱流防止部材の斜視図（Ｂ）、（Ａ）におけるＣ−Ｃ線に沿った断面図（Ｃ）である。
【符号の説明】
【００３４】
１：掃除機本体、１０：電動送風機、１１：吸込口部、１２：開口端、３０：格子壁、３２：格子孔、３４：立壁部、４０：乱流防止部材、４１：小開口部、４２：小開口端面、４３：大開口部、４４：第１傾斜部、４５：第２傾斜部、４６：第３傾斜部、４７：枠部、４８：突起部、４９：立壁部、１００：電気掃除機。
【図１】
2006055370.tif 000003
【図２】
2006055370.tif 000004
【図３】
2006055370.tif 000005
【図４】
2006055370.tif 000006